(57)【特許請求の範囲】
【請求項１】
レンズを介して結像される被写体の光学像を電気信号に光電変換する撮像素子を備えたレンズ鏡筒において、
前記撮像素子を保持する保持部材と、
前記保持部材が固定されると共に被写体側に対して光軸方向の反対側に配置され、貫通孔を有する固定部材と、
前記レンズ鏡筒の撮影位置と前記レンズ鏡筒の収納位置との間を光軸方向に沿って移動可能な電動ユニットと、
前記電動ユニットに一端が接続されたフレキシブルプリント基板と、
前記電動ユニットに対し光軸方向に延出して設けられ、前記固定部材の前記貫通孔に挿入可能なガイド部材と、を装備し、
前記ガイド部材が、前記レンズ鏡筒の前記収納位置において、前記固定部材の前記貫通孔に挿入されると共に前記保持部材より被写体側とは反対側に突出するように構成し、
前記ガイド部材の外径側に形成される空間に前記フレキシブルプリント基板のたわみ部を収納することを特徴とするレンズ鏡筒。
【請求項２】
前記ガイド部材は、前記電動ユニットを構成する地板を含む部材のいずれかに設けられることを特徴とする請求項１記載のレンズ鏡筒。
【請求項３】
前記保持部材は、前記保持部材を前記固定部材に固定するための複数の連結部を備え、
前記複数の連結部のうち少なくとも１つの連結部を、前記レンズ鏡筒を構成する最大径の筒状部材の外径よりも外周側に配置したことを特徴とする請求項１記載のレンズ鏡筒。
【請求項４】
前記ガイド部材の外径側と前記筒状部材の内径側との間に形成される空間に前記フレキシブルプリント基板のたわみ部を収納することを特徴とする請求項３記載のレンズ鏡筒。
【請求項５】
請求項１〜４のいずれかに記載のレンズ鏡筒を備えることを特徴とする撮像装置。
【発明の詳細な説明】
【技術分野】
【０００１】
本発明は、撮像装置と電気的な接続を行うためのフレキシブルプリント基板を装備したレンズ鏡筒及び撮像装置に関する。
【背景技術】
【０００２】
従来、撮像装置（カメラ）で使用する撮影レンズを保持するレンズ鏡筒の電動ユニットとカメラ本体を電気的に接続する手段としては、フレキシブルプリント基板が使用されている。前記フレキシブルプリント基板を介してカメラ本体と電気的に接続されるレンズ鏡筒に関しては各種の技術が提案されている（例えば、特許文献１参照）。
【０００３】
図７は、従来例（特許文献１）に係るレンズ鏡筒の構成を示す断面図である。
【０００４】
図７において、レンズ鏡筒１００は、カメラ本体１０１に装着され、レンズＬ１〜Ｌ４、電気部品１０２〜１０４、フレキシブルプリント基板（以下ＦＰＣ）１０５及び１０６を備えている。ＦＰＣ１０５及び１０６を折り曲げガイド部材１０７に沿って折り曲げ、その折り曲げ部をクリップ部材１０８にて折り曲げガイド部材１０７に挟持固定する。これにより、ＦＰＣ１０５及び１０６を誘導（案内）している。
【特許文献１】特開平７−１８１３６０号公報（図１等）
【発明の開示】
【発明が解決しようとする課題】
【０００５】
しかしながら、上記従来技術（特許文献１）では、ＦＰＣを誘導するために折り曲げガイド部材とクリップ部材をレンズ鏡筒の内部に装備する必要がある。そのため、部品点数が増加すると共に、レンズ鏡筒の外径が大きくなるという問題がある。
【０００６】
また、ＦＰＣを何度か折り返す構造となっているため、ＦＰＣの長さは電気部品（電動ユニット）の移動長よりはるかに長くする必要がある。このことは、ＦＰＣの価格上昇につながるだけでなく、ＦＰＣの導線抵抗を大きくするなど電気的特性に影響を及ぼすので好ましくないという問題がある。
【０００７】
本発明の目的は、部品点数を増加させずレンズ鏡筒の外径を大きくすることなくレンズ鏡筒内部にフレキシブルプリント基板を確実に収納可能としたレンズ鏡筒及び撮像装置を提供することにある。
【課題を解決するための手段】
【０００８】
上述の目的を達成するために、本発明は、レンズを介して結像される被写体の光学像を電気信号に光電変換する撮像素子を備えたレンズ鏡筒において、前記撮像素子を保持する保持部材と、前記保持部材が固定されると共に被写体側に対して光軸方向の反対側に配置され、貫通孔を有する固定部材と、前記レンズ鏡筒の撮影位置と前記レンズ鏡筒の収納位置との間を光軸方向に沿って移動可能な電動ユニットと、前記電動ユニットに一端が接続されたフレキシブルプリント基板と、前記電動ユニットに対し光軸方向に延出して設けられ、前記固定部材の前記貫通孔に挿入可能なガイド部材と、を装備し、前記ガイド部材が、前記レンズ鏡筒の前記収納位置において、前記固定部材の前記貫通孔に挿入されると共に前記保持部材より被写体側とは反対側に突出するように構成し、前記ガイド部材の外径側に形成される空間に前記フレキシブルプリント基板のたわみ部を収納することを特徴とする。
【発明の効果】
【０００９】
本発明によれば、レンズ鏡筒の収納位置では、ガイド部材が、固定部材の貫通孔に挿入されると共に保持部材より被写体側とは反対側に突出するように構成し、ガイド部材の外径側に形成される空間にフレキシブルプリント基板のたわみ部を収納する構成としている。これにより、レンズ鏡筒が繰り出し状態から収納状態へ移動する際にフレキシブルプリント基板が内側に大きくたわむことを防止できるため、フレキシブルプリント基板が他の部品に干渉して収納できなくなることを防止できる。従って、部品点数を増加させずレンズ鏡筒の外径を大きくすることなくレンズ鏡筒内部にフレキシブルプリント基板を確実に収納することが可能となる。
【発明を実施するための最良の形態】
【００１０】
以下、本発明の実施の形態を図面に基づいて説明する。
【００１１】
図１は、本発明の実施の形態に係るレンズ鏡筒の光軸方向の構成を示す断面図である。図２は、レンズ鏡筒の構成部品を示す分解斜視図である。図３は、レンズ鏡筒の２群レンズユニットの構成部品を示す分解斜視図である。図４は、レンズ鏡筒の収納状態におけるＣＣＤ保持枠側から見た背面図である。
【００１２】
図１〜図４において、レンズ鏡筒は、１群レンズ１、１群レンズ保持部材２、２群レンズ５、２群レンズ保持部材６、２群レンズユニット７、ＦＰＣ８及び９、３群レンズ１０、３群レンズ保持部材１１、ベース部材１３を備えている。更に、レンズ鏡筒は、ＣＣＤ１４、ＣＣＤフレキシブル基板１５、ＣＣＤ保持枠１６、カム筒１７、直進部材１８、固定筒１９、駆動筒２０、カバー部材２１、シャーシ部材２２、ＬＣＤユニット２３を備えている。
【００１３】
１群レンズ１は、１群レンズ保持部材２により保持されている。１群レンズ保持部材２の外周部には、周方向に１２０度間隔で等分した３箇所にカムフォロア２ａが形成されている。１群レンズ保持部材２は、カムフォロア２ａがカム筒１７に設けられたカムに倣うことで光軸方向に移動可能となっている。カバー部材３は、１群レンズ保持部材２に取り付けられている。キャップ部材４は、カバー部材３の外側に装着されている。２群レンズ５は、２群レンズ保持部材６により保持されている。
【００１４】
２群レンズユニット７（電動ユニット）は、２群レンズ保持部材６を光軸と直交する平面内で移動させる駆動制御ユニットと、シャッタユニットを備えている。２群レンズユニット７の外周部には、周方向に１２０度間隔で等分した３箇所にカムフォロア７ａと直進ガイド部７ｂが一体で形成されている。２群レンズユニット７は、カムフォロア７ａがカム筒１７のカム溝に倣うことで、レンズ鏡筒の収納位置（図１）とレンズ鏡筒の撮影位置（図５、図６）との間を光軸方向に沿って移動可能となっている。
【００１５】
更に、２群レンズユニット７の外周部には、光軸方向に延出すると共に後述のベース部材１３の貫通孔１３ａに挿入可能なガイド部７ｃ（ガイド部材）が形成されている。ガイド部７ｃは、レンズ鏡筒の収納位置（図１）において、ベース部材１３の貫通孔１３ａに挿入されると共にＣＣＤ保持枠１６より非被写体側（被写体側に対して光軸方向の反対側）に突出するように構成されている。即ち、ガイド部７ｃは、収納位置において、ベース部材１３より非被写体側へ突出する長さで且つＬＣＤユニット２３に干渉しない長さに設定されている。２群レンズユニット７の構成部品を図３を用いて説明する。
【００１６】
２群レンズユニット７は、図３に示すように、２群地板７０、コイルユニット７１、マグネット７２、ホール素子７３、センサ保持部材７４、駆動部７５、２群カバー７６、ＮＤフィルタ７７、シャッタ羽根７８、シャッタカバー７９を備えている。２群地板７０には、上記のカムフォロア７ａ、直進ガイド部７ｂ、ガイド部７ｃが設けられている。２群レンズユニット７の構成部品は、２群地板７０と一体的に光軸方向に移動可能に構成されている。
【００１７】
コイルユニット７１は、一対のコイルユニット７１ａ、７１ｂから構成されている。マグネット７２は、着磁された一対のマグネット７２ａ、７２ｂから構成されており、２群レンズ保持部材６に固定されている。ホール素子７３は、一対のホール素子７３ａ、７３ｂから構成されており、ＦＰＣ８に実装されている。センサ保持部材７４は、ホール素子７３と、ＦＰＣ８及び９を保持している。
【００１８】
駆動部７５は、一対の駆動部７５ａ、７５ｂから構成されている。駆動部７５ａは、ＮＤフィルタ７７を駆動する。駆動部７５ｂは、シャッタ羽根７８を駆動する。２群カバー７６には、光軸方向に延出した突起部７６ａが設けられている。２群カバー７６は、駆動部７５を固定すると共に、突起部７６ａによりＦＰＣ８及び９を光軸方向に折り曲げている。シャッタカバー７９は、ＮＤフィルタ７７及びシャッタ羽根７８を覆う。
【００１９】
ＦＰＣ８は、一端がコイルユニット７１ａ、７１ｂに電気的に接続されると共に、他端が不図示のカメラ本体に電気的に接続されている。ＦＰＣ９は、一端が駆動部７５ａ、７５ｂに電気的に接続されると共に、他端がカメラ本体に電気的に接続されている。本実施の形態では、ＦＰＣ８は駆動制御ユニット用として構成され、ＦＰＣ９はシャッタユニット用として構成されている。また、後述するＦＰＣ８及び９の収納構造により、ＦＰＣ８及び９の長さは繰り出し長さと同等か或いはそれより少し長く設定されている。
【００２０】
３群レンズ１０は、３群レンズ保持部材１１により保持されている。３群レンズ保持部材１１には、ＦＰＣ８及び９を通過させるための切り欠き部１１ａ、メインガイド部１１ｂ、サブガイド部１１ｃが形成されている。メインガイド部材１２は、３群レンズ保持部材１１のメインガイド部１１ｂと嵌合して３群レンズ保持部材１１を光軸方向に移動する際のガイドとなっている。
【００２１】
ベース部材１３（固定部材）は、ＣＣＤ保持枠１６を保持すると共にレンズ鏡筒の被写体側に対して光軸方向の反対側に配置され、外周部にメインガイド部材１２を保持している。ベース部材１３には、２群レンズユニット７のガイド部７ｃが光軸方向に延出した際に挿入される貫通孔１３ａが設けられている。即ち、ベース部材１３の貫通孔１３ａは、ＦＰＣ８及び９のたわみ部を確保するためのものであり、ＦＰＣ８及び９が折り返される際にＦＰＣ８及び９がレンズ鏡筒の内径側に膨らむことを防止するためのものである。
【００２２】
ＣＣＤ１４は、１群レンズ１、２群レンズ５、３群レンズ１０を介して結像される被写体の光学像を電気信号に光電変換する撮像素子であり、ＣＣＤフレキシブル基板１５を介してＣＣＤ保持枠１６に固定される。ＣＣＤフレキシブル基板１５には、ＣＣＤ１４が実装される。ＣＣＤフレキシブル基板１５は、ＣＣＤ１４をカメラ本体と電気的に接続する基板である。
【００２３】
ＣＣＤ保持枠１６（保持部材）は、ＣＣＤ１４を接着により保持している。ＣＣＤ保持枠１６は、ベース部材１３の非被写体側に調整ばね２４を挟み込み、図４に示すようにねじ取り付け部１６ａ、１６ｂ、１６ｃ（複数の連結部）の３箇所でねじにより固定される。ＣＣＤ保持枠１６の３箇所のねじ取り付け部１６ａ、１６ｂ、１６ｃのうち２箇所（１６ａ、１６ｂ）は、レンズ鏡筒を構成する最大径のカバー部材２１の外径よりも外周側に配置されている。尚、カバー部材２１の外径よりも外周側に配置するねじ取り付け部は１箇所とすることも可能である。
【００２４】
カム筒１７の内径側には、１群レンズ保持部材２のカムフォロア２ａに対応するカム溝１７ａと、２群レンズユニット７のカムフォロア７ａに対応するカム溝１７ｂが形成されている。カム筒１７の外径側には、周方向に１２０度間隔で等分した３箇所にカムフォロア１７ｃと駆動ピン１７ｄがそれぞれ形成されている。また、カム筒１７の内径側には、周方向に沿って溝部１７ｅが形成されており、直進部材１８の外周側に所定の位相で組み込まれる。
【００２５】
直進部材１８は、１群レンズ保持部材２と、２群レンズユニット７の光軸周りの回転を規制する。直進部材１８には、１群レンズ保持部材２の凸部２ｃ（図５参照）に係合する溝部１８ａが形成されている。また、直進部材１８には、周方向に１２０度間隔で等分した３箇所に２群レンズユニット７の直進ガイド部７ｂと係合する直進溝１８ｂが形成されている。
【００２６】
また、直進部材１８には、周方向に１２０度間隔で等分した３箇所に突部１８ｃが形成されている。直進部材１８の突部１８ｃが固定筒１９の直進ガイド溝１９ｃと係合することで、直進部材１８は回転規制されている。更に、直進部材１８には、周方向に１２０度間隔で等分した３箇所に突部１８ｅが形成されている。直進部材１８の突部１８ｅがカム筒１７の溝部１７ｆに嵌合することで、直進部材１８とカム筒１７は互いに回転可能に光軸方向に一体で移動可能に構成されている。
【００２７】
固定筒１９は、ベース部材１３に取り付けられる。固定筒１９には、カム筒１７のカムフォロア１７ｃと係合するカム溝１９ａと、カム筒１７の駆動ピン１７ｄに対応した貫通カム１９ｂと、直進部材１８の突部１８ｃが係合可能な光軸方向の直進ガイド溝１９ｃが形成されている。更に、固定筒１９には、ＦＰＣ８及び９を外径方向に通過させるための貫通孔１９ｄと、ＦＰＣ８及び９のたわみ部が位置するための貫通孔１９ｅが形成されている。
【００２８】
駆動筒２０は、固定筒１９の外径側に配置され、光軸周りに回転可能に構成されている。駆動筒２０の外径側には、駆動ユニット（不図示）からの駆動力が伝達されるギア部２０ａが形成されている。駆動筒２０の内径側には、周方向に１２０度間隔で等分した３箇所にカム筒１７の駆動ピン１７ｄと係合する光軸方向の溝部２０ｂが形成されている。また、駆動筒２０には、周方向の所定長さ（所定角度分）に渡ってＦＰＣ８及び９が通過可能な貫通孔２０ｃが形成されている。更に、駆動筒２０の内径側には、レンズ鏡筒の収納位置（図１）で固定筒１９の貫通孔１９ｅと同位相となりＦＰＣ８及び９のたわみ部を位置させる切り欠き部２０ｄが形成されている。
【００２９】
カバー部材２１（筒状部材）は、駆動筒２０の外径側に配置されるレンズ鏡筒を構成する最大径の部材であり、ベース部材１３と固定筒１９とが共に取り付けられる。カバー部材２１には、ＦＰＣ８及び９を通過させるための貫通孔２１ａが形成されている。
【００３０】
シャーシ部材２２は、レンズ鏡筒の構成部品（鏡筒ユニット）を固定すると共に、カメラ本体の骨格を形成する。シャーシ部材２２には、ベース部材１３の貫通孔１３ａと光軸方向に重複する位置に貫通孔２２ａが設けられている。シャーシ部材２２とベース部材１３は、ベース部材１３の非被写体側に設けられたねじ取り付け部を介してねじにより締結される。ＬＣＤユニット２３は、液晶画面、バックライト等を備えており、シャーシ部材２２に固定される。
【００３１】
次に、上記構成を有する本実施の形態のレンズ鏡筒の動作、ＣＣＤ１４の固定方法、２群レンズユニット７の駆動制御ユニットとシャッタユニット、ＦＰＣのたわみ方について図１〜図６を参照しながら順次説明する。
【００３２】
まず、レンズ鏡筒の動作について説明する。
【００３３】
駆動ユニット（不図示）からレンズ鏡筒の駆動筒２０のギア部２０ａに駆動力が伝達され、駆動筒２０が光軸周りに回転すると、駆動筒２０の溝部２０ｂとカム筒１７の駆動ピン１７ｄが係合しているので、カム筒１７が回動する。この場合、カム筒１７のカムフォロア１７ｃが固定筒１９のカム溝１９ａと係合しているので、カム筒１７は固定筒１９のカム溝１９ａのカム軌跡に沿って光軸方向に回動する。
【００３４】
このとき、直進部材１８は、上述したように直進部材１８の突部１８ｅがカム筒１７の溝部１７ｆと嵌合しているので、カム筒１７と一体で光軸方向に移動する。また、直進部材１８は、上述したように直進部材１８の突部１８ｃが固定筒１９の直進ガイド溝１９ｃと係合することで回転規制されているため、光軸方向に直進移動する。
【００３５】
カム筒１７が回動すると、２群レンズ保持部材６は以下のように移動可能となる。即ち、２群レンズ保持部材６のカムフォロア２ａとカム筒１７のカム溝１７ａが係合し、２群レンズ保持部材６の凸部２ｃと直進部材１８の溝部１８ａが係合しているので、２群レンズ保持部材６は回転することなく光軸方向に移動可能となる。
【００３６】
また、２群レンズユニット７のカムフォロア７ａとカム筒１７のカム溝１７ｂが係合し、２群レンズユニット７の直進ガイド部７ｂと直進部材１８の直進溝１８ｂが係合しているので、２群レンズユニット７は回転することなく光軸方向に移動可能となる。
【００３７】
また、３群レンズ保持部材１１は、公知の駆動機構（不図示）からの駆動力により光軸方向に進退（被写体側への進出及び被写体側からの退避）駆動される。これにより、フォーカス動作を行う。
【００３８】
レンズ鏡筒は、以上のように構成部品の繰り出し動作が行われ、図１の収納位置から該収納位置に対し同じ光軸上に位置する図５の撮影位置（ＷＩＤＥ ＡＮＧＬＥ（以下ＷＩＤＥ：広角側での撮影）位置）となる。更に、駆動筒２０が回転させられると、図５の撮影位置（ＷＩＤＥ位置）から図６の撮影位置（ＴＥＬＥＳＣＯＰＥ（以下ＴＥＬＥ：望遠側での撮影）位置）にズーム動作が行われる。このとき、３群レンズ１０も上記駆動機構によりズーム動作に伴う所定の位置に移動する。
【００３９】
次に、レンズ鏡筒の構成部品に対するＣＣＤ１４の固定方法について説明する。
【００４０】
ＣＣＤフレキシブル基板１５に実装されたＣＣＤ１４が接着されたＣＣＤ保持枠１６以外の構成部品を組み立てた後、ＣＣＤ保持枠１６をベース部材１３に固定する。即ち、ＣＣＤ保持枠１６とベース部材１３の間に調整ばね２４を挟み込む。更に、光学系（レンズ）によるＣＣＤ１４への被写体光学像の結像位置とＣＣＤ１４の撮像位置が一致するように調整しながら、ＣＣＤ保持枠１６のねじ取り付け部１６ａ、１６ｂ、１６ｃ（図４）に対するねじ締め量を調整し固定する。
【００４１】
本実施の形態では、図４に示すようにＣＣＤ保持枠１６の３箇所のねじ取り付け部１６ａ、１６ｂ、１６ｃのうち２箇所（１６ａ、１６ｂ）を、レンズ鏡筒で最大径の構成部品であるカバー部材２１（図２）の外径よりも外側に設けている。これにより、ＣＣＤ保持枠１６の中心付近にねじ座を設ける必要がないので、ＦＰＣ８及び９のたわみ部を確保するためベース部材１３に貫通孔１３ａを設けることが可能となる。
【００４２】
また、近年のＣＣＤの高画素化に伴い配線が多くなりＣＣＤフレキシブル基板自体の面積が大きくなっており、ＣＣＤフレキシブル基板を回避しながらねじ座スペースを確保することが困難となっている。しかしながら、ＣＣＤ保持枠１６のねじ取り付け部１６ａ、１６ｂを外径部に配置したことで設計の自由度を増大することが可能となる。更に、ＣＣＤ保持枠１６をベース部材１３に固定し調整する際はＣＣＤ１４から離れた場所で調整できるため、微調整がしやすいという利点もある。
【００４３】
次に、２群レンズユニット７に装備した駆動制御ユニットとシャッタユニットについて簡単に説明する。
【００４４】
電源（不図示）から２群レンズユニット７の構成部品であるコイルユニット７１ａに通電すると磁界が発生する。光軸と直交する平面に移動可能となっている２群レンズ保持部材６には、コイルユニット７１ａと重なる位置にマグネット７２ａが配置（固定）されている。そのため、マグネット７２ａがコイルユニット７１ａで発生した磁場の力により第１の方向に移動する。同様にコイルユニット７１ｂに通電すると、マグネット７２ｂがコイルユニット７１ｂで発生した磁場の力により第２の方向に移動する。ここで、第１の方向と第２の方向は、光軸に直交する方向であり且つ互いに直交する方向である。
【００４５】
また、２群レンズユニット７においてマグネット７２ａ、７２ｂが移動した位置は、それぞれホール素子７３ａ、７３ｂにより検出している。２群レンズ保持部材６に固定されたマグネット７２ａ、７２ｂが移動した位置を検出することで、２群レンズ保持部材６が移動した位置を検出することができる。２群レンズ保持部材６の移動位置の検出に基づき、２群レンズ保持部材６を駆動制御している。ここで、第１の位置と第２の位置は、光軸に直交する平面内にある位置である。
【００４６】
また、電源から２群レンズユニット７の構成部品であるシャッタユニットを構成している駆動部７５に通電すると、駆動部７５から延出したアームが第１の位置と第２の位置に移動可能となる。駆動部７５のアームが２つの位置に移動可能となるため、ＮＤフィルタ７７及びシャッタ羽根７８が２群レンズユニット７の開口部を覆う位置と開口部から退避する位置とに駆動可能となる。
【００４７】
次に、レンズ鏡筒内部に配設したＦＰＣ８及び９のたわみ方について説明する。
【００４８】
まず、レンズ鏡筒が収納位置（図１）にある場合のＦＰＣ８及び９の状態について説明する。一端が２群レンズユニット７に接続されているＦＰＣ８及び９は、２群レンズユニット７と直進部材１８の間をＣＣＤ１４側へ延ばされ、ベース部材１３の貫通孔１３ａ（図２）とその後方にあるシャーシ部材２２の貫通孔２２ａ内に延ばされる。更に、ＦＰＣ８及び９は、シャーシ部材２２の後方にあるＬＣＤユニット２３に接触して反対側へと折り返される。
【００４９】
その際、２群レンズユニット７のガイド部７ｃが光軸方向に延出し、更にベース部材１３の貫通孔１３ａに挿入される。これにより、ＦＰＣ８及び９が折り返される際にＦＰＣ８及び９がレンズ鏡筒の内径側に膨らむのを防止している。仮にＦＰＣが内径側に膨らんでしまうと、レンズ鏡筒が撮影位置（図５）から収納位置（図１）へ移動する際に前記内径側への膨らみにより、３群レンズ保持部材１１が光軸方向に移動する際に干渉する。その結果、ＦＰＣをレンズ鏡筒内部に適正に収納できなくなる恐れがある。
【００５０】
本実施の形態では、上記のようにＦＰＣ８及び９がレンズ鏡筒の内径側に膨らむことを防止している。これにより、固定筒１９の貫通孔１９ｅ、駆動筒２０の切り欠き部２０ｄ、シャーシ部材２２の貫通孔２２ａにより形成されるレンズ鏡筒のスペース内にＦＰＣ８及び９を確実に収納することができる。
【００５１】
以上のように、レンズ鏡筒の収納位置（図１）で、固定筒１９の貫通孔１９ｅ、駆動筒２０の切り欠き部２０ｄ、シャーシ部材２２の貫通孔２２ａ、及び２群レンズユニット７のガイド部７ｃで形成される空間に確実にＦＰＣのたわみ部を収納する。これにより、レンズ鏡筒にＦＰＣのたわみ部を吸収するための部材を特別に設ける必要がないため、部品点数を削減できると共にレンズ鏡筒の外径を大きくすることも不要となる。その結果、レンズ鏡筒の小径化を実現することが可能となる。
【００５２】
また、レンズ鏡筒の収納位置（図１）では、２群レンズユニット７のガイド部７ｃを、ベース部材１３より非被写体側へ突出する長さで且つＬＣＤユニット２３に干渉しない長さに設定している。これにより、レンズ鏡筒の収納状態における光軸方向寸法を長くすることなく、２群レンズユニット７のガイド部７ｃを最大限長く設定することができる。
【００５３】
また、レンズ鏡筒の撮影状態においてＦＰＣのたわみ部がレンズ鏡筒の内径部に侵入して、ＣＣＤ１４による撮像画像に影響を及ぼすこともなくなる。更に、ＦＰＣのたわみ部がレンズ鏡筒の内径部に侵入して、レンズ鏡筒が撮影位置（図５）から収納位置（図１）に移動する際にＦＰＣと干渉して移動できなくなることを防止することができる。
【００５４】
更に、レンズ鏡筒の撮影位置（ＴＥＬＥ位置）（図６）では、ＦＰＣは必要以上に折り曲げられる箇所がないため、ＦＰＣの長さに無駄がない構成となっている。これにより、本実施の形態のＦＰＣは特許文献１で開示されているＦＰＣに比べて短く構成できるので、コストを安価にすることが可能となる。
【００５５】
以上説明したように本実施の形態によれば、レンズ鏡筒の収納状態で、２群レンズユニット７の２群地板７０と一体に移動するガイド部７ｃを、ベース部材１３の貫通孔１３ａを貫通して更に非被写体側へ延出する長さに構成している。これにより、レンズ鏡筒が繰り出し状態から収納状態へ移動する過程でＦＰＣが内側に大きくたわむことを防止できるため、ＦＰＣがレンズ鏡筒における光軸方向に移動する他の構成部品に干渉して収納できなくなることを防止できる。
【００５６】
即ち、レンズ鏡筒の収納位置で、固定筒１９の貫通孔１９ｅ、駆動筒２０の切り欠き部２０ｄ、シャーシ部材２２の貫通孔２２ａ、２群レンズユニット７のガイド部７ｃにより形成される空間に確実にＦＰＣのたわみ部を収納することができる。これにより、部品点数を増加させずレンズ鏡筒の外径を大きくすることなくレンズ鏡筒内部にＦＰＣを確実に収納することが可能となる。更に、ＦＰＣの長さは繰り出し長さと同等かそれより少し長いだけでよい。これにより、ＦＰＣの価格を低減することが可能となると共に、ＦＰＣの電気的特性に影響が少ないものとすることが可能となる。
【００５７】
［他の実施の形態］
上記実施の形態では、ガイド部を２群レンズユニットの２群地板７０に設ける構成とした場合を例に挙げたが、これに限定されるものではない。ガイド部を２群レンズユニット７のどの部材（例えばシャッタカバー７９やセンサ保持部材７４など）に設けても構わない。
【００５８】
上記実施の形態では、ＦＰＣを駆動制御ユニット用とシャッタユニット用の２枚から構成した場合を例に挙げたが、これに限定されるものではない。ＦＰＣを駆動制御ユニット用やシャッタユニット用以外に用いても構わないし、またＦＰＣを１枚から構成しても構わない。
【００５９】
上記実施の形態では、レンズ鏡筒について説明したが、本発明はレンズ鏡筒を備えた撮像装置にも適用することができる。
【図面の簡単な説明】
【００６０】
【図１】本発明の実施の形態に係るレンズ鏡筒の光軸方向の構成を示す断面図である。
【図２】レンズ鏡筒の構成部品を示す分解斜視図である。
【図３】レンズ鏡筒の２群レンズユニットの構成部品を示す分解斜視図である。
【図４】レンズ鏡筒の収納状態におけるＣＣＤ保持枠側から見た背面図である。
【図５】レンズ鏡筒のＷＩＤＥ位置を示す断面図である。
【図６】レンズ鏡筒のＴＥＬＥ位置を示す断面図である。
【図７】従来例に係るレンズ鏡筒の構成を示す断面図である。
【符号の説明】
【００６１】
７  ２群レンズユニット
７ｃ  ガイド部材
８、９  フレキシブルプリント基板
１３  ベース部材
１３ａ  貫通孔
１４  ＣＣＤ
１６  ＣＣＤ保持枠
２１  カバー部材
【図１】
0004948318.tif 000002
【図２】
0004948318.tif 000003
【図３】
0004948318.tif 000004
【図４】
0004948318.tif 000005
【図５】
0004948318.tif 000006
【図６】
0004948318.tif 000007
【図７】
0004948318.tif 000008